(57)【要約】【課題】機枠側の演出装置と本体枠側の制御基板ユニットとを接続するワイヤーハーネスの垂れを簡単な構成で確実に防止することができる弾球遊技機の提供。【解決手段】機枠１に対して本体枠２が開閉可能に支持されているパチンコ機Ｐにおいて、機枠１の下側隅部にスピーカ６が配設されており、このスピーカ６と本体枠２側の中継基板２３とを接続するワイヤーハーネス２４の両端近傍が、それぞれ留め具２５とフック状保持部２６を用いて機枠１と本体枠２の背面側に固定されると共に、これら留め具２５とフック状保持部２６間に引き回されたワイヤーハーネス２４にコーションシール２８を貼り付けることにより、当該箇所のワイヤーハーネス２４がコーションシール２８によって直線状に姿勢補正されるようにした。【選択図】図４
2013039233.tif 000002
【特許請求の範囲】
【請求項１】
遊技店の箱状の収納部に前後方向に出し入れ可能に収容固定される機枠と、この機枠に配設された演出装置と、前記機枠に対して第１ヒンジ機構を介して開閉可能に軸支された本体枠と、この本体枠に配設された遊技盤および制御基板ユニットと、前記本体枠に対して第２ヒンジ機構を介して開閉可能に軸支された前面枠とを備え、前記遊技盤が前記前面枠に設けられた透明板を透して目視可能であると共に、前記演出装置と前記制御基板ユニットとがワイヤーハーネスを介してコネクタ接続されている弾球遊技機において、
前記ワイヤーハーネスの一端部近傍が第１固定部によって前記機枠の背面側に保持されると共に、該ワイヤーハーネスの他端部近傍が第２固定部によって前記本体枠の背面側に保持されており、かつ、これら第１および第２固定部間に引き回された前記ワイヤーハーネスの一部がコーションシールを貼り付けることによって直線状に姿勢補正されていることを特徴とする弾球遊技機。
【請求項２】
請求項１の記載において、前記第２固定部が、前記本体枠に設けられたフック状保持部と、前記ワイヤーハーネスに取り付けられたストッパバンドとからなり、前記ワイヤーハーネスを前記フック状保持部の側方から挿入することにより、前記ワイヤーハーネスの他端部近傍が上下方向に姿勢補正されると共に、前記フック状保持部の下端に前記ストッパバンドを当接させることにより、前記制御基板ユニットから前記フック状保持部に至る間の前記ワイヤーハーネスの上動が規制されるようにしたことを特徴とする弾球遊技機。
【発明の詳細な説明】
【技術分野】
【０００１】
本発明は、遊技盤を目視可能な前面枠が本体枠に対して開閉可能に支持されていると共に、この本体枠が機枠に対して開閉可能に支持されている弾球遊技機に係り、特に、機枠にスピーカ等の演出装置が配設されている弾球遊技機に関するものである。
【背景技術】
【０００２】
パチンコ機に代表される弾球遊技機は、遊技店の島設備に設置される縦長方形状の機枠と、この機枠にヒンジ部を介して扉状に開閉可能に取り付けられた本体枠と、この本体枠の内側に収容された遊技盤と、本体枠の前面に別のヒンジ部を介して開閉可能に取り付けられた前面枠とを備えており、前面枠の中央部に形成された開口部には遊技盤を目視可能な透明板が取り付けられている。本体枠の背面側には、電装部品の一つである液晶表示装置が取り付けられる他、それ以外の電装部品として制御基板ユニットが取り付けられている。この制御基板ユニットには、遊技に関する主要な処理を行う主制御基板や、主制御基板からの指令を受けて液晶表示装置を含む各種演出装置を制御する副制御基板や、賞球の払い出しを制御する払出基板等の複数の基板が設けられている。また、前面枠には電飾部品やスピーカ等の演出装置が取り付けられており、この演出装置はワイヤーハーネスを介して制御基板ユニットにコネクタ接続されている。
【０００３】
このように概略構成されたパチンコ機では、通常、本体枠が機枠に対して閉じられていると共に、前面枠も本体枠に対して閉じられているが、例えば、遊技盤に発生した球詰まりを解消するために、前面枠を本体枠に対して開放する場合がある。この場合、本体枠側の制御基板ユニットと前面枠側の演出装置とを接続するワイヤーハーネスの長さは、前面枠の開放動作を許容できる程度に余裕を持たせておく必要があるが、余剰分の長さによってワイヤーハーネスの姿勢が不安定になるため、ワイヤーハーネスの一部が開放した前面枠と本体枠との間に挟み込まれてしまう等の不具合が発生しやすくなる。
【０００４】
そこで、従来より、ワイヤーハーネスの両端部近傍をそれぞれ本体枠と前面枠に固定すると共に、本体枠と前面枠の対向面間にハーネス収納部を形成しておき、前面枠が本体枠に対して閉じられているとき、ワイヤーハーネスの中間部分をＵ字状または逆Ｕ字状に湾曲させた状態でハーネス収納部内に収容するようにしたパチンコ機が提案されている（例えば、特許文献１参照）。かかる従来技術では、本体枠側の固定部と前面枠側の固定部がワイヤーハーネスの両端部近傍を前面枠の回転軸と同じ上下方向に保持しているため、ワイヤーハーネスの中間部分は前面枠の回転軸と略平行な面内で湾曲変形し、その湾曲変形の繰り返し動作が一定になる。すなわち、前面枠が本体枠に対して開かれると、ワイヤーハーネスは両端部近傍を上方に向けたまま中間部分が水平方向に拡がるように変形し、前面枠が本体枠に対して閉じられると、ワイヤーハーネスは中間部分を湾曲させながらハーネス収納部内にスムーズに収容されるため、ワイヤーハーネスの挙動が安定して挟み込み等の事故を防止することができる。
【先行技術文献】
【特許文献】
【０００５】
【特許文献１】特開２０１１−５０４２２号公報
【発明の概要】
【発明が解決しようとする課題】
【０００６】
ところで、近年、液晶表示装置やスピーカ等の演出装置が大型化される傾向にあり、例えば、大型のスピーカを機枠側に配設して音響効果を高めるようにしたパチンコ機が提案されている。この場合、本体枠の背面側に露出する制御基板ユニットと機枠の背面側に露出するスピーカとをワイヤーハーネスで接続する必要があるが、機枠は遊技店の島設備に設けられた箱状の収納部に対して前方から挿入して収容固定されるため、本体枠と機枠の背面側に引き回されたワイヤーハーネスが島設備側の装置に引っ掛かりやすくなる。すなわち、機枠の背面側には特許文献１に開示されたようなハーネス収納部を形成することができないため、本体枠が機枠に対して閉じられているとき、本体枠側の制御基板ユニットと機枠側のスピーカとを接続するワイヤーハーネスの中間部分が不所望な方向に垂れ下がってしまい、本体枠を開放動作したときにワイヤーハーネスが島設備に設置された遊技球の回収レール等に引っ掛かるという事態が発生する。なお、剛性が高く変形しにくいワイヤーハーネスを使用すれば垂れをある程度防止できるが、その場合、本体枠の開閉動作に伴ってワイヤーハーネスが無理に撓められるため、ワイヤーハーネスの両端のコネクタ部に大きなストレスが掛かって好ましくない。
【０００７】
本発明は、このような従来技術の実情に鑑みてなされたもので、その目的は、機枠側の演出装置と本体枠側の制御基板ユニットとを接続するワイヤーハーネスの垂れを簡単な構成で確実に防止することができる弾球遊技機を提供することにある。
【課題を解決するための手段】
【０００８】
上記の目的を達成するために、本発明は、遊技店の箱状の収納部に前後方向に出し入れ可能に収容固定される機枠と、この機枠に配設された演出装置と、前記機枠に対して第１ヒンジ機構を介して開閉可能に軸支された本体枠と、この本体枠に配設された遊技盤および制御基板ユニットと、前記本体枠に対して第２ヒンジ機構を介して開閉可能に軸支された前面枠とを備え、前記遊技盤が前記前面枠に設けられた透明板を透して目視可能であると共に、前記演出装置と前記制御基板ユニットとがワイヤーハーネスを介してコネクタ接続されている弾球遊技機において、前記ワイヤーハーネスの一端部近傍が第１固定部によって前記機枠の背面側に保持されると共に、該ワイヤーハーネスの他端部近傍が第２固定部によって前記本体枠の背面側に保持されており、かつ、これら第１および第２固定部間に引き回された前記ワイヤーハーネスの一部がコーションシールを貼り付けることによって直線状に姿勢補正されるようにした。
【０００９】
このように構成された弾球遊技機では、演出装置と制御基板ユニットとを接続するワイヤーハーネスの両端近傍が機枠と本体枠の背面側にそれぞれ固定されると共に、これら両固定部間に引き回されたワイヤーハーネスの一部にコーションシールが貼り付けられており、当該箇所のワイヤーハーネスがコーションシールによって直線状に姿勢補正されているため、剛性が低く撓みやすいワイヤーハーネスを使用したのにも拘わらず、そのワイヤーハーネスが垂れて島設備の装置に引っ掛かるという事態を確実に防止することができるだけでなく、本体枠を機枠に対して開放動作するとき、コーションシールによってワイヤーハーネスの取り扱い注意を作業者に視覚的に喚起することができる。
【００１０】
上記の構成において、第２固定部が、本体枠に設けられたフック状保持部と、ワイヤーハーネスに取り付けられたストッパバンドとからなり、ワイヤーハーネスをフック状保持部の側方から挿入することにより、ワイヤーハーネスの他端部近傍が上下方向に姿勢補正されると共に、フック状保持部の下端にストッパバンドを当接させることにより、制御基板ユニットからフック状保持部に至る間のワイヤーハーネスの上動が規制されるようにすると、ワイヤーハーネスを制御基板ユニット側のコネクタ部に対して簡単に接続できるだけでなく、その接続状態を確実に維持することができて好ましい。
【発明の効果】
【００１１】
本発明の弾球遊技機では、遊技店の箱状の収納部に収容固定される機枠にスピーカ等の演出装置が配設されており、この演出装置と制御基板ユニットとを接続するワイヤーハーネスの両端近傍が機枠と本体枠の背面側にそれぞれ固定されると共に、これら両固定部間に引き回されたワイヤーハーネスの一部がコーションシールの貼り付けによって直線状に姿勢補正されているため、剛性が低く撓みやすいワイヤーハーネスを使用したのにも拘わらず、そのワイヤーハーネスが垂れて島設備の装置に引っ掛かるという事態を確実に防止することができるだけでなく、本体枠を機枠に対して開放動作するとき、コーションシールによってワイヤーハーネスの取り扱い注意を作業者に視覚的に喚起することができる。
【図面の簡単な説明】
【００１２】
【図１】本発明の実施形態例に係るパチンコ機の外観斜視図である。
【図２】図１に示すパチンコ機の前面枠を開けた状態の斜視図である。
【図３】図１に示すパチンコ機の前面枠と本体枠を開けた状態の斜視図である。
【図４】図１に示すパチンコ機の背面図である。
【図５】図４のＡ部詳細図である。
【図６】本体枠の開放時における図５に対応する詳細図である。
【図７】図４に示すワイヤーハーネスを制御基板ユニット側に接続する作業手順の説明図である。
【図８】該ワイヤーハーネスに貼り付けられるコーションシールの説明図である。
【発明を実施するための形態】
【００１３】
発明の実施の形態について図面を参照して説明すると、図１に示すように、本実施形態例に係るパチンコ機（弾球遊技機）Ｐは、遊技店の島設備に設置される縦長方形状の機枠１と、機枠１に扉状に開閉自在に取り付けられた本体枠２と、本体枠２の前面に扉状に開閉自在に取り付けられた前面枠３等を備えている。なお、遊技店の島設備には、横並びに配列された複数の箱状の収納部や、パチンコ機Ｐに遊技球を供給するための供給レールや、パチンコ機Ｐから排出された遊技球を回収するための回収レール等（いずれも図示せず）が設置されており、前記収納部に対して機枠１を前方から挿入して収容固定するようになっている。
【００１４】
図２と図３に示すように、機枠１の左側枠部には上側軸受け体５と下側軸受け体（図示省略）が固着されており、この下側軸受け体よりも下方の左下隅部には大型のスピーカ６が配設されている。一方、本体枠２の左側枠部の上下両端には第１ピン（図示省略）が設けられており、これら両第１ピンを上側軸受け体５と下側軸受け体に軸支することによって、本体枠２を機枠１に対して開閉自在に支持する第１ヒンジ機構が構成されている。
【００１５】
本体枠２の上部内側には遊技盤７が収納されており、この遊技盤７の盤面（前面）は前面枠３に装着された後述する透明板４を透して目視可能となっている。遊技盤７はガイドレール８等によって区画形成された遊技領域９を有しており、詳細な説明は省略するが、遊技領域９には可変表示装置や始動入賞口、一般入賞口、アタッカー装置、遊技釘、風車、アウト口等が設けられている。遊技盤７よりも下方の本体枠２は前面枠３によって覆い隠される設置部２ｂとなっており、この設置部２ｂ内の下部中央には遊技球を遊技領域９に向けて発射する発射装置１０が配設されている。
【００１６】
本体枠２の右側枠部は第１ヒンジ機構と反対側の自由端側であり、この右側枠部にはシリンダ錠１１ａを有する施錠装置１１が設置されている。図示せぬが、この施錠装置１１は本体枠２の裏面に配置された後部施錠杆と本体枠２の前面に配置された前部施錠杆とを備えており、常態では、施錠装置１１の後部施錠杆により本体枠２が機枠１に対して施錠されると共に、前部施錠杆により前面枠３が本体枠２に対して施錠されている。そして、シリンダ錠１１ａの鍵穴に図示せぬ鍵を差し込み、この鍵を一方向（例えば時計回り）へ回動すると、後部施錠杆が上動して本体枠２が開錠されるようになっている。また、シリンダ錠１１ａの鍵穴に差し込んだ鍵を他方向（反時計回り）へ回動すると、前部施錠杆が上動して前面枠３が開錠されるようになっている。さらに、本体枠２の自由端側の右下隅部には扉開閉検出装置３０が組み込まれており、この扉開閉検出装置３０によって本体枠２の機枠１に対する開閉状態と前面枠３の本体枠２に対する開閉状態とを個別に検知可能となっている。
【００１７】
前面枠３の左側枠部の上下両端には第２ピン（図示省略）が設けられており、これら両第２ピンを本体枠２の左側枠部に突設した上下の支持板２ａに軸支することによって、前面枠３を本体枠２に対して開閉自在に支持する第２ヒンジ機構が構成されている。
【００１８】
図１に戻り、前面枠３には遊技盤７の盤面に対向する大きな開口３ａが開設されており、この開口３ａはガラスやプラスチックからなる透明板４によって塞がれている。前面枠３の前面上部には比較的小型のスピーカ１２が左右に１個ずつ配設されており、これらスピーカ１２と前述した大型のスピーカ６とによって遊技に関する様々な効果音を発するようになっている。また、前面枠３の前面下部には、遊技盤７の裏面に配設された賞球払出装置（後述する）から払い出された遊技球を収容する上段受皿１３と、上段受皿１３から排出された遊技球を収容する下段受皿１４と、遊技者による押下操作が可能なプッシュ釦１５とが設けられており、上段受皿１３の右側方には発射装置１０の発射強度を調整するための操作ハンドル１６が配設されている。
【００１９】
図４に示すように、このパチンコ機Ｐを背面側から見ると、本体枠２には、遊技に関する主要な処理を行う主制御基板１７と、主制御基板１７からの指令を受けて可変表示装置やスピーカ６，１２等の演出装置を含む各種装置を制御する副制御基板１８と、前述した賞球払出装置１９と、主制御基板１７からの指令を受けて賞球払出装置１９を制御する払出制御基板２０と、操作ハンドル１６の回動量に応じて発射装置１０の作動を制御する発射制御基板２１と、扉開閉検出装置３０の検知信号や大当たり回数等の各種情報を遊技店のホールコンピュータに出力する外部端子基板２２と、各種装置が接続されるコネクタ部を有する中継基板２３等が設けられており、これら各基板１７〜２３によって制御基板ユニットが構成されている。さらに、本体枠２の上端部には島設備の前記供給レールから供給された遊技球を貯留するための貯留タンク３１が設けられ、発射制御基板２１の下方の本体枠２には遊技盤７のアウト口を通って裏面側に向かう遊技球を島設備の前記回収レールに排出するための排出口（図示せず）が設けられている。また、機枠１の右下隅部に前述したスピーカ６の裏面が露出しており、このスピーカ６はワイヤーハーネス２４を介して制御基板ユニットの一部である中継基板２３にコネクタ接続されている。
【００２０】
図５と図６に示すように、ワイヤーハーネス２４の両端にはオスコネクタ２４ａ，２４ｂが取り付けられており、一方のオスコネクタ２４ａはスピーカ６の裏面に設けられたメスコネクタ６ａに接続され、他方のオスコネクタ２４ｂは中継基板２３上に実装されたメスコネクタ２３ａに接続されている。また、一方のオスコネクタ２４ａの近傍に位置するワイヤーハーネス２４は第１固定部である留め具２５を用いて機枠１の背面に固定されており、他方のオスコネクタ２４ｂの近傍に位置するワイヤーハーネス２４は第２固定部であるフック状保持部２６とストッパバンド２７を用いて本体枠２の背面に保持されている。このフック状保持部２６は一側面と上下両面を開放した成形部品（横断面視が略コ字状の部材）であり、その一側面に弾性を有する返し片部２６ａが形成されている。そして、図７（ａ）に示すように、予めワイヤーハーネス２４の所定箇所にストッパバンド２７を巻き付け固定した状態で、ワイヤーハーネス２４をフック状保持部２６に対して一側面（矢印Ｘ方向）から内部に挿入すると、ワイヤーハーネス２４は返し片部２６ａを弾性変形させながら断面視略コ字状の空間内に嵌め込まれる。その結果、図７（ｂ）に示すように、ストッパバンド２７がフック状保持部２６の下端２６ｂに当接してワイヤーハーネス２４の上動が規制されると共に、フック状保持部２６に係止された部分を含めた近傍のワイヤーハーネス２４が上下方向に姿勢補正され、かつ、返し片部２６ａによってワイヤーハーネス２４の左右方向の移動が規制された状態となる。
【００２１】
ワイヤーハーネス２４は比較的剛性の低く撓みやすいものを使用しており、その全長は前面枠３の開閉動作に伴って変化する両メスコネクタ６ａ，２３ａ間の距離を考慮して設定されている。すなわち、図６に示すように、本体枠２が機枠１に対して最大角度まで開かれたとき、留め具２５とフック状保持部２６間に位置するワイヤーハーネス２４の長さに余裕を持たせた所定長さを確保した全長とすることにより、ワイヤーハーネス２４の両端のコネクタ接続部分に無理な引っ張り力が掛からないようになっている。また、留め具２５のやや上方に位置する部分からフック状保持部２６へ向かうワイヤーハーネス２４の区間領域部分には、フック状保持部２６よりも留め具２５側寄りに偏って位置するようにコーションシール２８が貼り付けられており、このコーションシール２８には所定の注意喚起（例えば「下スピーカのハーネス注意！」等の印刷）が施された表示部２８ａが尾びれ状に形成されている。
【００２２】
図８（ａ）に示すように、コーションシール２８は、片側（裏）全面を粘着層とし他側（表）を印刷層とした矩形状のベースフィルム２８Ａと、このベースフィルム２８Ａの印刷層側にラミネートされた保護フィルム２８Ｂとの積層体からなり、これら両フィルム２８Ａ，２８ＢにはＰＥＴ（ポリエチレンテレフタレート）やＰＰ（ポリプロピレン）等の熱可塑性樹脂フィルムが用いられている。このようにベースフィルム２８Ａと保護フィルム２８Ｂのラミネート構造とすることにより、ベースフィルム２８Ａの印刷層に施された注意喚起の印刷表示が保護されると共に、コーションシール２８全体の剛性向上の調整が可能となっている。ここで、ベースフィルム２８Ａの一方の辺Ｌ１の長さは、留め具２５とフック状保持部２６の間の区間領域部分となるワイヤーハーネス２４の外周表面全体を所定長さに亘って覆う長さとなるように定められている。また、ベースフィルム２８Ａの他方の辺Ｌ２の長さは、注意喚起表示の印刷スペース領域（表示部２８ａ）を確保できる長さとなるように定められている。
【００２３】
そして、図８（ｂ）に示すように、ワイヤーハーネス２４の外周表面全体を挟んで包み込むようにコーションシール２８を２つ折りにして互いの粘着層を貼り合わせることにより、ワイヤーハーネス２４がベースフィルム２８Ａの一方の辺Ｌ１の長さに亘って貼り付けられる。また、表示部２８ａが、ワイヤーハーネス２４とコーションシール２８の包み込み貼付部Ｔからベースフィルム２８Ａの他方の辺Ｌ２の長さに亘って尾びれ状となるように形成される。その結果、コーションシール２８を貼り付けた箇所のワイヤーハーネス２４の剛性が部分的に高められ、当該箇所におけるワイヤーハーネス２４が重力に逆らって直線状に姿勢補正される。なお、尾びれ状の表示部２８ａは、粘着層の貼り合わせにより適度な強度を有することとなり、直線状の姿勢補正の補助（例えば、捻れ抑制等）を担うようになる。したがって、図５に示すように、本体枠２が閉じられてフック状保持部２６（第２固定部）が留め具２５（第１固定部）に接近した状態にあるとき、留め具２５の部分からフック状保持部２６の係止に基づいて上下方向に屈曲変位するワイヤーハーネス２４が撓み、その重さに起因して留め具２５の高さ位置よりも下方に垂れ下がることを抑制できる。すなわち、コーションシール２８を貼り付けたワイヤーハーネス２４の部位が斜め上方へ直線状に延びるようになる。
【００２４】
以上説明したように、本実施形態例に係るパチンコ機Ｐでは、遊技店の箱状の収納部に収容固定される機枠１の下側隅部にスピーカ６が配設されており、このスピーカ６と本体枠２側の中継基板２３とを接続するワイヤーハーネス２４の両端近傍が、それぞれ留め具２５とフック状保持部２６を用いて機枠１と本体枠２の背面側に固定されると共に、これら留め具２５とフック状保持部２６間に引き回されたワイヤーハーネス２４にコーションシール２８を貼り付けることにより、当該箇所のワイヤーハーネス２４がコーションシール２８によって直線状に姿勢補正されている。このため、図４と図５に示すように、前面枠３が本体枠２に対して閉じられている場合でも、留め具２５とフック状保持部２６間に引き回されたワイヤーハーネス２４は重力に逆らって斜め上方へ姿勢補正されており、余剰分のワイヤーハーネス２４が垂れて島設備の回収レール等に引っ掛かることを確実に防止できる。
【００２５】
また、遊技店等の作業員が機枠１に対して本体枠２を開放動作すると、図６に示すように、ワイヤーハーネス２４はＵ字状反転部の曲率を拡げるように変形していくが、その間もコーションシール２８を貼り付けた箇所のワイヤーハーネス２４の直線性は維持されるため、本体枠２の開放動作中にワイヤーハーネス２４が回収レール等に引っ掛かることもない。しかも、かかる本体枠２の開放動作時に、コーションシール２８の表示部２８ａに付された注意書きにより、作業員に対してワイヤーハーネス２４の取り扱い注意を視覚的に喚起することができる。
【００２６】
さらに、本体枠２に設けられたフック状保持部２６とワイヤーハーネス２４に取り付けられたストッパバンド２７とによって第２固定部を構成し、ストッパバンド２７を取り付けた状態のワイヤーハーネス２４をフック状保持部２６の一側面から挿入して内部に嵌め込むことにより、フック状保持部２６の近傍のワイヤーハーネス２４が上下方向に姿勢補正されるようにしたので、ワイヤーハーネス２４のオスコネクタ２４ｂを中継基板２３のメスコネクタ２３ａに対して簡単に接続することができる。しかも、本体枠を開放したときにワイヤーハーネス２４に万が一大きな引っ張り力が作用した場合でも、ストッパバンド２７がフック状保持部２６の下端に当接してワイヤーハーネス２４の上動が規制されるため、ワイヤーハーネス２４と中継基板（制御基板ユニット）２３との接続状態を確実に維持することができる。
【００２７】
なお、上記の実施形態例では、機枠１に対して本体枠２が閉じられているときに、コーションシール２８を貼り付けた箇所のワイヤーハーネス２４が留め具２５から斜め上方へ直線状に延びるようにしているが、コーションシール２８はワイヤーハーネス２４の垂れを防止できれば姿勢方向は斜め上方に限定されず、例えば、コーションシール２８を貼り付けた箇所のワイヤーハーネス２４が略水平方向へ直線状に姿勢補正されるようにしても良い。
【００２８】
また、上記の実施形態例では、機枠１に配設された演出装置としてスピーカ６を例示して説明したが、タッチ釦やランプ等の他の演出装置をスピーカ６の代わりに機枠１に配設したり、これらタッチ釦やランプ等をスピーカ６と一緒に機枠１に配設することも可能である。
【符号の説明】
【００２９】
１  機枠
２  本体枠
３  前面枠
４  透明板
５  上側軸受け体
６  スピーカ（演出装置）
６ａ  メスコネクタ
７  遊技盤
９  遊技領域
１０  発射装置
１１  施錠装置
１６  操作ハンドル
１７  主制御基板
１８  副制御基板
１９  賞球払出装置
２０  払出制御基板
２１  発射制御基板
２２  外部端子基板
２３  中継基板
２３ａ  メスコネクタ
２４  ワイヤーハーネス
２４ａ，２４ｂ  オスコネクタ
２５  留め具（第１固定部）
２６  フック状保持部（第２固定部）
２７  ストッパバンド（第２固定部）
２８  コーションシール
２８ａ  表示部
Ｐ  パチンコ機
【図１】
2013039233.tif 000003
【図２】
2013039233.tif 000004
【図３】
2013039233.tif 000005
【図４】
2013039233.tif 000006
【図５】
2013039233.tif 000007
【図６】
2013039233.tif 000008
【図７】
2013039233.tif 000009
【図８】
2013039233.tif 000010